(57)【要約】【課題】床から換気扇の吸気孔への換気通路を容易に且つ低コストで形成することを可能にする換気通路組み立てキットを提供する。【解決手段】床から換気扇の吸気孔へ換気通路を形成する換気通路組み立てキットは、折り曲げと接合によって組み立てられる本体部品と、これに取り付けられる取り付け部品と、組み立てられた本体部品を室内に固定する固定部品とを有して成り、本体部品は展開された部品を組み立てて筒状を成し、換気扇の枠が挿入孔から挿入されて換気通路を構成する。本体部品の挿入孔の周縁には柔軟性のパッキンが固定され、挿入孔と換気扇との隙間から通路に空気が流入することを抑制する。更に、組み立てられた換気通路の上側の開放端部の開口を下側の開放端部の開口よりも小さく且つその度合いを選択可能に規制する開口規制部品を設け、上方からの換気流量を選択的に絞って床からの換気流量を所望に設定して換気通路の組み立てが可能にされる。【選択図】図１
2011163747.tif 000002
【特許請求の範囲】
【請求項１】
室内の床から換気扇への換気通路を形成するための換気通路組み立てキットであって、折り曲げと接合によって通路が組み立てられる本体部品と、前記本体部品に取り付けられる取り付け部品と、組み立てられた本体部品を前記室内に固定する固定部品とを有し、
前記本体部品は、４面を取り囲んで通路を形成するための複数の面部が一体的に形成されていて、その一つの面部は前記換気扇が挿入される挿入孔を有し、
前記取り付け部品として、前記一つの面部に形成された前記挿入孔の周縁部に固定される、柔軟性を有すパッキンと、
前記本体部品が組み立てられたとき前記複数の面部で４面が囲まれる空間の上側の開放端部における開口を、前記４面が囲まれる空間の下側の開放端部における開口よりも小さく且つその度合いを選択可能に規制する開口規制部品と、を有する、換気通路組み立てキット。
【請求項２】
前記開口規制部品は、規制する開口度合いをそれぞれ相違させ、所要の開口度合いに応じて選択使用される複数部品からなる、請求項１記載の換気通路組み立てキット。
【請求項３】
前記取り付け部品として、前記本体部品による通路に挿入されて通路を補強するリブを構成するための補強部品を有する、請求項１又は２記載の換気通路組み立てキット。
【請求項４】
前記本体部品は、前記挿入孔を有する長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は直線状にされる、請求項1乃至３の何れか１項記載の換気通路組み立てキット。
【請求項５】
前記本体部品は第１の本体部品及び第２の本体部品から成り、前記取り付け部品の一つとしてストレート連結部品を有し、
前記第１の本体部品及び第２の本体部品の夫々は、前記挿入孔を有する長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は直線状にされ、
前記ストレート連結部品は、組み立てられて筒状体を成し、この筒状体の一方が前記第１の本体部品による通路に挿入固定され、前記筒状体の他方が第２の本体部品による通路に挿入固定されて前記第１の本体部品による通路と第２の本体部品による通路を連結する、請求項1乃至４の何れか1項記載の換気通路組み立てキット。
【請求項６】
前記本体部品は、水平方向に換気通路を形成するための水平換気本体部品及び水平方向の換気通路に連通して垂直方向に換気通路を形成するための垂直換気本体部品を有し、
前記水平換気本体部品は、前記換気扇の枠が挿入される挿入孔を有する長尺状の上面板部と、
前記上面板部とほぼ等しい大きさの長尺状の底面板部と、
前記底面板部の長尺状の縁辺と前記上面板部の長尺状の縁辺とをそれぞれ連結するための一対の長尺状の側面板部と、が一体的に形成されて成り、
前記垂直換気本体部品は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は概略Ｌ字状を呈する、請求項1乃至３の何れか１項記載の換気通路組み立てキット。
【請求項７】
水平換気本体部品と前記垂直換気本体部品は、組み立てられた状態で連通するために接合される直結片を有する、請求項６記載の換気通路組み立てキット。
【請求項８】
前記外部取り付け部品の一つとしてＬ字連結部品を有し、
前記Ｌ字連結部品は、組み立てられて概略Ｌ字状に屈曲された筒状体を成し、この筒状体の一方が前記水平換気本体部品による通路に挿入固定され、前記筒状体の他方が前記垂直換気本体部品による通路に挿入固定されて、前記水平換気本体部品による通路を前記垂直換気本体部品通路を連結するＬ字連結部品による通路に連結する、請求項６記載の換気通路組み立てキット。
【請求項９】
前記垂直換気本体部品は第１の垂直換気本体部品及び第２の垂直換気本体部品から成り、前記外部取り付け部品の一つとしてストレート連結部品を有し、
前記第１の垂直換気本体部品及び第２の垂直換気本体部品の夫々は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は直線状にされ、
前記ストレート連結部品は、組み立てられて筒状体を成し、この筒状体の一方が前記第１の垂直換気本体部品による通路に挿入固定され、前記筒状体の他方が第２の垂直換気本体部品による通路に挿入固定されて、前記第１の垂直換気本体部品による通路と前記第２の垂直換気本体部品による通路とを連結する、請求項７又は８記載の換気通路組み立てキット。
【請求項１０】
床から壁面の換気扇への換気通路を形成するための換気通路組み立てキットであって、折り曲げと接合によって通路が組み立てられる本体部品と、前記本体部品に取り付けられる取り付け部品と、組み立てられた本体部品を壁面に固定する固定部品とを有し、
前記本体部品は、前記換気扇が挿入される挿入孔を有する長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されて成り、
前記取り付け部品として、前記背面板部に形成された前記挿入孔の周縁部に固定される、柔軟性を有するパッキンと、
前記本体部品が組み立てられたとき前記背面板部、前記正面板部及び前記一対の側面板部の４面で囲まれる空間の上側における開口を、前記４面で囲まれる空間の下側の開口よりも小さく且つその度合いを選択可能に規制する開口規制部品と、を有する、換気通路組み立てキット。
【請求項１１】
床から天井の換気扇への換気通路を形成するための換気通路組み立てキットであって、折り曲げと接合によって通路が組み立てられる本体部品と、前記本体部品に取り付けられる取り付け部品と、組み立てられた本体部品を天井面及び壁面に固定する固定部品とを有し、
前記本体部品は、水平方向に換気通路を形成するための水平換気本体部品及び水平方向の換気通路に連通して垂直方向に換気通路を形成するための垂直換気本体部品を有し、
前記水平換気本体部品は、前記換気扇が挿入される挿入孔を有する長尺状の上面板部と、
前記上面板部とほぼ等しい大きさの長尺状の底面板部と、
前記底面板部の長尺状の縁辺と前記上面板部の長尺状の縁辺とをそれぞれ連結するための一対の長尺状の側面板部と、が一体的に形成されて成り、
前記垂直換気本体部品は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されて成り、
前記取り付け部品として、前記上面板部に形成され前記挿入孔の周縁部に固定される、柔軟性を有するパッキンと、
前記水平本体部品が組み立てられたとき前記上面板部、前記底面板部及び前記一対の側面板部の４面で囲まれる空間の開放端部における開口を、前記垂直本体部品が組み立てられたとき前記背面板部、前記正面板部及び前記一対の側面板部の４面で囲まれる空間の下端部の開口よりも小さく且つその度合いを選択可能に規制する開口規制部品と、を有する、換気通路組み立てキット。
【請求項１２】
折り曲げと接合によって筒状の換気通路が形成され、筒内に換気扇を挿入するための挿入孔を有する天井側通路部品と、
前記天井側通路部品を用いて組み立てられた天井側通路組立体を天井に固定するための取付け部品と、
折り曲げと接合によって筒状の換気通路が形成される壁側通路部品と、
前記天井側通路組立体の一端開口と前記壁側通路部品を用いて組み立てられた壁側通路組立体の一端開口とを接続するために、折り曲げと接合によって筒状の通路が形成される接続部品と、を有し、
前記固定部品で天井に固定された天井側通路組立体に、前記接続部品を用いて壁側通路組立体を接続することにより、室内の床から換気扇への換気通路を形成するための換気通路組立キット。
【請求項１３】
前記天井側通路組立体における換気通路の横断面の開口面積は、前記壁側通路組立体における換気通路の横断面の開口面積よりも大きい、請求項１２記載の換気通路組立キット。
【請求項１４】
前記天井側通路部品、前記壁側通路部品及び前記接続部品はそれぞれ１枚の板が裁断され且つ折り曲げ用の溝と切欠きが形成されて成る、請求項１２又は１３記載の換気通路組立キット。
【請求項１５】
前記接続部品は、前記天井側通路部品の一端開口に挿入され反挿入端に開口を持ち筒状の通路を形成するための第１接続部及び前記壁側通路部品の一端開口に挿入され反挿入端に前記第１接続部の前記開口と相互に一縁を共有する開口を持つ筒状の通路を形成するための第２接続部を有する接続通路部品と、前記第１接続部と前記第２接続部が一縁を共有する前記開口の間を覆って前記第１接続部と前記第２接続部を位置決め固定するための位置決め固定部品とを有する、請求項１２記載の換気通路組立キット。
【請求項１６】
前記第１接続部及び前記第２接続部は１枚の板が裁断され且つ折り曲げ用の溝と切欠きが形成されて成る、請求項１５記載の換気通路組み立てキット。
【請求項１７】
前記取付け部品は、前記天井側通路組立体の外方に一部を延在させて前記天井側通路組立体の天井に対向する面に固定される複数個の固定板と、前記固定板を前記天井に固定する固定具とである、請求項１２記載の換気通路組み立てキット。
【発明の詳細な説明】
【技術分野】
【０００１】
本発明は、床から換気扇への換気通路を形成するための換気通路組み立てキットに関する。
【背景技術】
【０００２】
換気扇は室内の上方に設置されているが、臭気の発生源が床の近傍であったり、床面に臭気が漂っている場合に、換気扇による換気を効果的に行うための技術として本発明者による先の提案に係る特許文献がある。壁面や天井面にダクトを形成し、これによって床から換気扇への換気通路を形成する。
【先行技術文献】
【特許文献】
【０００３】
【特許文献１】特開２００８−２０２９２９号公報
【特許文献２】特開２００４−５３２４６号公報
【特許文献３】特開２００４−１４３９２６号公報
【発明の概要】
【発明が解決しようとする課題】
【０００４】
しかしながら、上記特許文献に記載の技術は施工業者が工事を行って換気のための構造を作成することを想定しており、換気通路を誰でも手軽に組み立て形成することについては考慮されておらず、工事費用が嵩み床からの換気通路を低コストで構成することは容易ではないという点が明らかにされた。
【０００５】
本発明の目的は、床から換気扇の吸気孔への換気通路を容易に且つ低コストで形成することを可能にする換気通路組み立てキットを提供することにある。
【０００６】
本発明の前記並びにその他の目的と新規な特徴は本明細書の記述及び添付図面から明らかになるであろう。
【課題を解決するための手段】
【０００７】
本願において開示される発明のうち代表的なものの概要を簡単に説明すれば下記の通りである。
【０００８】
すなわち、室内の床から換気扇の吸気孔へ換気通路を形成するための換気通路組み立てキットは、折り曲げと接合によって組み立てられる本体部品と、前記本体部品に取り付けられる取り付け部品と、組み立てられた本体部品を室内に固定する固定部品とを有して成り、前記本体部品は展開された部品であって組み立てられることによって筒状を成し、換気扇の枠が挿入孔から挿入されて、換気通路を構成する。本体部品の挿入孔の周縁には柔軟性を有すパッキンが固定され、挿入孔と換気扇との隙間から通路に空気が流入することを抑制する。更に、組み立てられた換気通路の上側の開放端部における開口を当該通路の下側の開放端部における開口よりも小さく且つその度合いを選択可能に規制する開口規制部品を設け、上方からの換気流量を選択的に絞って床からの換気流量を所望に設定して換気通路の組み立てが可能にされる。
【発明の効果】
【０００９】
本願において開示される発明のうち代表的なものによって得られる効果を簡単に説明すれば下記のとおりである。
【００１０】
すなわち、床から換気扇の吸気孔への換気通路を容易に且つ低コストで形成することができる。
【図面の簡単な説明】
【００１１】
【図１】図１は壁換気扇への対応に特化した第１の実施の形態に係る換気通路組み立てキットを組み立てて完成した換気通路組立体を例示する縦断面図である。
【図２】図２は第１の実施の形態に用いる本体部品の平面図である。
【図３】図３は本体部品の素材の断面図である。
【図４Ａ】図４Ａは開口規制部品を例示する縦断面図である。
【図４Ｂ】図４Ｂは開口規制部品を例示する縦断面図である。
【図４Ｃ】図４Ｃは開口規制部品の他の例を示す縦断面図である。
【図５】図５は本体部品の下端部の開口規制部品を例示する縦断面図である。
【図６】図６はメッシュ状の網を例示する平面図である。
【図７】図７は補強部品を例示する斜視図である。
【図８】図８は固定部品を例示する説明図である。
【図９】図９は天井換気扇への対応に特化した第２の実施の形態に係る換気通路組み立てキットを組み立てて完成した換気通路組立体を例示する縦断面図である。
【図１０Ａ】図１０Ａは水平換気本体部品の平面図である。
【図１０Ｂ】図１０Ｂは第１の垂直換気本体部品の平面図である。
【図１０Ｃ】図１０Ｃは第２の垂直換気本体部品の平面図である。
【図１１】図１１はストレート連結部品の平面図である。
【図１２】図１２は第３の実施の形態として水平換気本体部品と垂直換気本体部品との接続に利用するＬ字連結部品の組立体を示す斜視図である。
【図１３Ａ】図１３ＡはＬ字連結部品の水平部品を示す平面図である。
【図１３Ｂ】図１３ＢはＬ字連結部品の垂直部品を示す平面図である。
【図１４】図１４は第４の実施の形態として水平換気本体部品と垂直換気本体部品との接続に利用する傾斜連結部品の組立体を示す斜視図である。
【図１５】図１５は傾斜連結部品を例示する平面図である。
【図１６】図１６は換気通路組み立てキットを組み立てて完成した換気通路組立体を室内のコーナー部分に設置して使用する状態を例示する説明図である。
【図１７】図１７は固定部品としてフックとリングを用いた場合に説明図である。
【図１８】図１８は本発明の第５の実施の形態に係る換気通路組み立てキットを組み立てて天井に装着した状態を例示する縦断面図である。
【図１９】図１９は第５の実施の形態に係る換気通路組み立てキットの天井側通路部品を例示する展開図である。
【図２０】図２０は第５の実施の形態に係る換気通路組み立てキットの壁側通路部品を例示する展開図である。
【図２１】図２１は第５の実施の形態に係る換気通路組み立てキットの接続部品を例示する展開図である。
【図２２】図２２は取り付け部品を例示する斜視図である。
【図２３】図２３は天井側通路組立体の換気扇挿入孔部分の概略斜視図である。
【図２４】図２４は接続部品を組み立てた接続組立体の概略斜視図である。
【図２５】図２５は接続組立体の側面図である。
【発明を実施するための形態】
【００１２】
１．実施の形態の概要
先ず、本願において開示される発明の代表的な実施の形態について概要を説明する。代表的な実施の形態についての概要説明で括弧を付して参照する図面中の参照符号はそれが付された構成要素の概念に含まれるものを例示するに過ぎない。
【００１３】
〔１〕代表的な実施の形態に係る換気通路組み立てキット（１９０）は、室内の床から換気扇への換気通路を形成するための換気通路組み立てキットであって、折り曲げと接合によって通路が組み立てられる本体部品（１００）と、前記本体部品に取り付けられる取り付け部品（１０７）と、組み立てられた本体部品を前記室内に固定する固定部品（１６０）とを有する。前記本体部品は、４面を取り囲んで通路を形成するための複数の面部が一体的に形成されていて、その一つの面部は前記換気扇が挿入される挿入孔（１０６）を有する。前記取り付け部品として、前記一つの面部に形成された前記挿入孔の周縁部に固定される、柔軟性を有すパッキン（１０７）と、前記本体部品が組み立てられたとき前記複数の面部で４面が囲まれる空間の上側の開放端部における開口を、前記４面が囲まれる空間の下側の開放端部における開口よりも小さく且つその度合いを選択可能に規制する開口規制部品（１１０、１２０、１３０）と、を有する。
【００１４】
これにより、本体部品の挿入孔の周縁に設けられたパッキンは、挿入孔と換気扇との隙間から通路に空気が流入することを抑制する。さらに、開口規制部品により上方からの換気流量を選択的に絞って床からの換気流量を所望に設定して換気通路の組み立てが可能にされる。上記組み立てキットを用いることにより、斯様な換気機能を備える換気通路を誰でも手軽に組み立てることができる。組み立てキットとして提供されることから、工事費用が抑制され、床からの換気通路を低コストで構成することができる。
【００１５】
〔２〕＜開口規制部品＞
項１の換気通路組み立てキットにおいて、前記開口規制部品は、規制する開口度合いをそれぞれ相違させ、所要の開口度合いに応じて選択使用される複数部品からなる。複数の開口規制部品の中から必要な一つの開口規制部品を選択して組み付けるだけで所要の換気流量を容易に得ることができる。
【００１６】
〔３〕＜補強リブ＞
項１または２の換気通路組み立てキットにおいて、前記取り付け部品として、前記本体部品による通路に挿入されて通路を補強するリブを構成するための補強部品（１５０）を有する。換気通路の強度を向上させることが容易になる。
【００１７】
〔４〕＜壁換気扇対応＞
項1乃至３の何れかの換気通路組み立てキットにおいて、前記本体部品は、前記挿入孔を有する長尺状の背面板部（１０２）と、前記背面板部とほぼ等しい大きさの長尺状の正面板部（１０１）と、前記背面板部の長尺状の縁辺と前記正面板部の長尺状の縁辺とをそれぞれ連結するための一対の長尺状の側面板部（１０３、１０４）と、が一体的に形成されていて、組み立てられた通路は直線状にされる。これにより、壁に設置された換気扇に対して容易に対応可能になる。
【００１８】
〔５〕＜通路分割＞
項1乃至４の何れかの換気通路組み立てキットにおいて、前記本体部品は第１の本体部品及び第２の本体部品から成り、前記取り付け部品の一つとしてストレート連結部品を有する。前記第１の本体部品及び第２の本体部品の夫々は、前記挿入孔を有する長尺状の背面板部と、前記背面板部とほぼ等しい大きさの長尺状の正面板部と、前記背面板部の長尺状の縁辺と前記正面板部の長尺状の縁辺とをそれぞれ連結するための一対の長尺状の側面板部と、が一体的に形成されていて、組み立てられた通路は直線状にされる。前記ストレート連結部品は、組み立てられて筒状体を成し、この筒状体の一方が前記第１の本体部品による通路に挿入固定され、前記筒状体の他方が第２の本体部品による通路に挿入固定されて前記第１の本体部品による通路と第２の本体部品による通路を連結する。これにより、本体部品を分割して提供するから換気通路組み立てキットのサイズを小さくできる。
【００１９】
〔６〕＜天井換気扇対応＞
項1乃至３の何れかの換気通路組み立てキットにおいて、前記本体部品は、水平方向に換気通路を形成するための水平換気本体部品（２００）及び水平方向の換気通路に連通して垂直方向に換気通路を形成するための垂直換気本体部品（２１０）を有する。前記水平換気本体部品は、前記換気扇の枠が挿入される挿入孔を有する長尺状の上面板部（２０２）と、前記上面板部とほぼ等しい大きさの長尺状の底面板部（２０１）と、前記底面板部の長尺状の縁辺と前記上面板部の長尺状の縁辺とをそれぞれ連結するための一対の長尺状の側面板部（２０３、２０４）と、が一体的に形成されて成る。前記垂直換気本体部品は、長尺状の背面板部（２１１）と、前記背面板部とほぼ等しい大きさの長尺状の正面板部（２１２）と、前記背面板部の長尺状の縁辺と前記正面板部の長尺状の縁辺とをそれぞれ連結するための一対の長尺状の側面板部（２１３、２１４）と、が一体的に形成されている。水平換気本体部品及び垂直換気本体部品が組み立てられて形成される通路は概略Ｌ字状を呈するようにされる。これにより、天井に設置された換気扇に対して容易に対応可能になる。
【００２０】
〔７〕項６の換気通路組み立てキットにおいて、水平換気本体部品と前記垂直換気本体部品は、組み立てられた状態で連通するために接合される直結片を有する。これにより、水平換気本体部品と前記垂直換気本体部品とを結合するために独立した別部品を要しない。
【００２１】
〔８〕項６記載の換気通路組み立てキットにおいて、前記外部取り付け部品の一つとしてＬ字連結部品（２６０）を有する。前記Ｌ字連結部品は、組み立てられて概略Ｌ字状に屈曲された筒状体を成し、この筒状体の一方が前記水平換気本体部品による通路に挿入固定され、前記筒状体の他方が前記垂直換気本体部品による通路に挿入固定されて、前記水平換気本体部品による通路を前記垂直換気本体部品通路を連結するＬ字連結部品による通路に連結する。これにより、水平換気本体部品と前記垂直換気本体部品とを結合するために独立した別部品を要するが、水平換気本体部品及び前記垂直換気本体部品それ自体の形状を簡素化することに資する。
【００２２】
〔９〕項７又は８記載の換気通路組み立てキットにおいて、前記垂直換気本体部品は第１の垂直換気本体部品（２１０）及び第２の垂直換気本体部品（２２０）から成り、前記外部取り付け部品の一つとしてストレート連結部品（２３０）を有する。前記第１の垂直換気本体部品及び第２の垂直換気本体部品の夫々は、長尺状の背面板部と、前記背面板部とほぼ等しい大きさの長尺状の正面板部と、前記背面板部の長尺状の縁辺と前記正面板部の長尺状の縁辺とをそれぞれ連結するための一対の長尺状の側面板部と、が一体的に形成されていて、組み立てられた通路は直線状にされる。前記ストレート連結部品は、組み立てられて筒状体を成し、この筒状体の一方が前記第１の垂直換気本体部品による通路に挿入固定され、前記筒状体の他方が第２の垂直換気本体部品による通路に挿入固定されて、前記第１の垂直換気本体部品による通路と前記第２の垂直換気本体部品による通路とを連結する。
【００２３】
〔１０〕＜壁換気扇対応＞
壁換気扇への対応に特化した実施の形態に係る換気通路組み立てキットは、床から壁面の換気扇への換気通路を形成するための換気通路組み立てキットであって、折り曲げと接合によって通路が組み立てられる本体部品と、前記本体部品に取り付けられる取り付け部品と、組み立てられた本体部品を壁面に固定する固定部品とを有する。前記本体部品は、前記換気扇が挿入される挿入孔を有する長尺状の背面板部と、前記背面板部とほぼ等しい大きさの長尺状の正面板部と、前記背面板部の長尺状の縁辺と前記正面板部の長尺状の縁辺とをそれぞれ連結するための一対の長尺状の側面板部と、が一体的に形成されて成る。前記取り付け部品として、前記背面板部に形成された前記挿入孔の周縁部に固定される、柔軟性を有するパッキンと、前記本体部品が組み立てられたとき前記背面板部、前記正面板部及び前記一対の側面板部の４面で囲まれる空間の上側における開口を、前記４面で囲まれる空間の下側の開口よりも小さく且つその度合いを選択可能に規制する開口規制部品と、を有する。
【００２４】
〔１１〕＜天井換気扇対応＞
天井換気扇への対応に特化した実施の形態に係る換気通路組み立てキットは、床から天井の換気扇への換気通路を形成するための換気通路組み立てキットであって、折り曲げと接合によって通路が組み立てられる本体部品と、前記本体部品に取り付けられる取り付け部品と、組み立てられた本体部品を天井面及び壁面に固定する固定部品とを有する。前記本体部品は、水平方向に換気通路を形成するための水平換気本体部品及び水平方向の換気通路に連通して垂直方向に換気通路を形成するための垂直換気本体部品を有する。前記水平換気本体部品は、前記換気扇が挿入される挿入孔を有する長尺状の上面板部と、前記上面板部とほぼ等しい大きさの長尺状の底面板部と、前記底面板部の長尺状の縁辺と前記上面板部の長尺状の縁辺とをそれぞれ連結するための一対の長尺状の側面板部と、が一体的に形成されて成る。前記垂直換気本体部品は、長尺状の背面板部と、前記背面板部とほぼ等しい大きさの長尺状の正面板部と、前記背面板部の長尺状の縁辺と前記正面板部の長尺状の縁辺とをそれぞれ連結するための一対の長尺状の側面板部と、が一体的に形成されて成る。前記取り付け部品として、前記上面板部に形成され前記挿入孔の周縁部に固定される、柔軟性を有するパッキンと、前記水平本体部品が組み立てられたとき前記上面板部、前記底面板部及び前記一対の側面板部の４面で囲まれる空間の開放端部における開口を、前記垂直本体部品が組み立てられたとき前記背面板部、前記正面板部及び前記一対の側面板部の４面で囲まれる空間の下端部の開口よりも小さく且つその度合いを選択可能に規制する開口規制部品と、を有する。
【００２５】
〔１２〕＜天井換気扇対応＞
天井換気扇に対応した更に別の実施の形態に係る換気通路組み立てキットは、折り曲げと接合によって筒状の換気通路が形成され、筒内に換気扇を挿入するための挿入孔（５０２）を有する天井側通路部品（５００）と、前記天井側通路部品を用いて組み立てられた天井側通路組立体（５００Ａ）を天井に固定するための取付け部品（８００）と、折り曲げと接合によって筒状の換気通路が形成される壁側通路部品（６００）と、前記天井側通路組立体の一端開口（５４０）と前記壁側通路部品を用いて組み立てられた壁側通路組立体（６００Ａ）の一端開口（６２０）とを接続するために、折り曲げと接合によって筒状の通路が形成される接続部品（７００）と、を有し、前記固定部品で天井に固定された天井側通路組立体に、前記接続部品を用いて壁側通路組立体を接続することにより、室内の床から換気扇への換気通路を形成するためのものとされる。
【００２６】
これにより、天井側通路部品、壁側通路部品及び接続部品に大別された部品が提供されるから、これを用いることにより、床から換気扇にいたる換気通路を誰でも手軽に組み立てることができる。組み立てキットとして提供されることから、工事費用が抑制され、床からの換気通路を低コストで実現することができる。
【００２７】
〔１３〕＜換気通路横断面＞
項１２の換気通路組立キットにおいて、前記天井側通路組立体における換気通路の横断面の開口面積は、前記壁側通路組立体における換気通路の横断面の開口面積よりも大きい。
【００２８】
上記開口面積に差によって、換気通路の遠方端の換気流速を容易に確保することができる。
【００２９】
〔１４〕＜板状部品＞
項１２又は１３の換気通路組立キットにおいて、前記天井側通路部品、前記壁側通路部品及び前記接続部品はそれぞれ１枚の板が裁断され且つ折り曲げ用の溝と切欠きが形成されて成る。
【００３０】
夫々の部品が板状で提供されることにより換気通路組立キットの可搬性及び多数の換気通路組立キットの集積性を向上させることができる。
【００３１】
〔１５〕＜接続部品の構成＞
項１２の換気通路組立キットにおいて、前記接続部品は、前記天井側通路組立体の一端開口に挿入され反挿入端に開口を持ち筒状の通路を形成するための第１接続部（７１２）及び前記壁側通路組立体の一端開口に挿入され反挿入端に前記第１接続部の前記開口と相互に一縁を共有する開口を持つ筒状の通路を形成するための第２接続部（７２２）を有する接続通路部品と、前記第１接続部と前記第２接続部が一縁を共有する前記開口の間を覆って前記第１接続部と前記第２接続部を位置決め固定するための位置決め固定部品とを有する。
【００３２】
前記天井側通路部品と前記壁側通路部品をほぼ直角に接続する前記接続部品の強度を少ない部品点数で実現可能になる。
【００３３】
〔１６〕＜板状部品＞
項１５の換気通路組立キットにおいて、前記第１接続部及び前記第２接続部は１枚の板が裁断され且つ折り曲げ用の溝と切欠きが形成されて成る。
【００３４】
接続部品が板状で提供されることにより換気通路組立キットの可搬性及び多数の換気通路組立キットの集積性の向上に資することができる。
【００３５】
〔１７〕＜取付け部品＞
項１２の換気通路組立キットにおいて、前記取付け部品は、前記天井側通路組立体の外方に一部を延在させて前記天井側通路組立体の天井に対向する面に固定される複数個の板片（８０１）と、前記板片を前記天井に固定する固定具（８０２）とである。
【００３６】
天井との隙間を小さくして前記天井側通路部品を容易に天井に固定することができる。
【００３７】
２．実施の形態の詳細
＜壁換気扇への対応に特化した第１の実施の形態＞
図１には壁換気扇への対応に特化した第１の実施の形態に係る換気通路組み立てキットを組み立てて完成した換気通路組立体１９０が縦断面によって例示される。図２乃至図８には換気通路組み立てキットを構成する各種部品が例示される。
【００３８】
換気通路組み立てキットは、図1に例示されるように、室内の床１７１から壁面１７３の換気扇１７０への換気通路１８０を形成するためのキットであって、折り曲げと接合によって通路が組み立てられる本体部品１００と、前記本体部品１００に取り付けられる取り付け部品１０７、１１０、１４０、１５０と、組み立てられた本体部品を壁面に固定する固定部品１６０とを有する。
【００３９】
前記本体部品１００は、図２に例示されるように、前記換気扇の枠が挿入される挿入孔１０６を有する長尺状の長方形の背面板部１０２と、前記背面板部１０２とほぼ等しい大きさの長尺状の正面板部１０１と、前記背面板部１０２の長尺状の縁辺と前記正面板部１０１の長尺状の縁辺とをそれぞれ連結するための一対の長尺状の側面板部１０３、１０４と、接合代１０５とが一体的に打ち抜き若しくは裁断にて形成されて成る。特に、各部１０１，１０２，１０３，１０４，１０５が接する境界部分（実線で図示）には本体部品の打ち抜きによる形成と同工程若しくは別工程にて曲げ易いようにプレス溝などが形成されている。本体部品１００を前記プレス溝等に沿って折り曲げて、接合代１０５を側面板部１０３の縁辺部分に接着若しくは両面テープ等により固定することによって断面が四角形の通路を形成することができる。プレス溝は浅い切り溝などであってもよい。
【００４０】
本体部品１００の素材は、特に制限されないが、図３に例示されるように、厚さ数ｍｍのダンボール１００Ｂを芯材として、表面に化粧紙や化粧布が貼り付けられ、裏面（換気通路１８０側）に結露防止するためのアルミ箔１００Ｃが貼り付けられた複合材料によって構成される。特に制限されないが、外表面がビニール等でラミネートされた素材を用いてもよい。図示はしないが、薄いプラスチック板で構成してもよいし、また、芯材にハニカム構造を採用して強化してもよい。薄いプラスチック板を使用する場合にはアルミ箔を貼り付けなくてもよい。
【００４１】
前記取り付け部品として、前記背面板部１０２に形成された前記挿入孔１０６の周縁部に固定される、柔軟性を有する例えばスポンジ等によって構成されたパッキン１０７が設けられる。パッキン１０７は本体部品１００に先に固定されていてもよいし、組み立て時に後から接着等によって固定してもよい。図１から明らかなように、本体部品１００の挿入孔１０６の周縁に設けられたパッキン１０７は、挿入孔１０６と換気扇１７０の枠との間に隙間が生じても、その隙間を通して通路１８０に空気が流入することを抑制する。
【００４２】
前記挿入孔は換気扇の枠の大きさに比べて大きく形成され、壁面の設けられる換気扇の高さが相違されていても、本体部品１００の長さや挿入孔１０６の大きさを現物加工したりすることなく容易に対応することができる。パッキン１０７も挿入孔１０６の週縁に配置される大きさを備えているから、換気扇と挿入孔１０６との間に比較的大きな隙間があっても換気路がその部分から外に開放されてしまうことはない。尚、換気扇の枠の外に保護カバー等のカバーが取り付けられている場合は、換気扇通路を確保するという意味でそれを外した方が望ましい。
【００４３】
更に別の取り付け部品として、前記本体部品１００が組み立てられたとき前記背面板部１０２、前記正面板部１０１及び前記一対の側面板部１０３，１０４の４面で囲まれる空間の上側における開口を、前記４面で囲まれる空間の下側の開口１４１Ａよりも小さく且つその度合いを選択可能に規制する開口規制部品１１０，１２０，１３０を有する。
【００４４】
下側の開口１４１Ａを規制する開口規制部品１４０は、換気通路１８０の横断面形状にほぼ等しい平面形状を有し、開口１４１Ａが形成された２枚の規制板１４１によって図６に例示されるメッシュ状の網（フィルタ）１１２を挟んで一体的に固定されて構成される。開口規制部品１４０は、本体部品１００を組み立てて形成された通路の下端開口に挿入固定される。
【００４５】
開口規制部品１１０は、換気通路１８０の横断面形状にほぼ等しい平面形状を有し、開口１１１Ａが形成された２枚の規制板１１１によって図６に例示されるメッシュ状の網（フィルタ）１１２を挟んで一体的に固定されて構成される。同様に開口規制部品１２０は、換気通路１８０の横断面形状にほぼ等しい平面形状を有し、開口１１１Ａよりも大きな開口１２１Ａが形成された２枚の規制板１２１によってメッシュ状の網（フィルタ）１１２を挟んで一体的に固定されて構成される。開口規制部品１３０は、換気通路１８０の横断面形状にほぼ等しい平面形状を有する６枚の規制板１３２〜１３７とメッシュ状の網（フィルタ）１１２によって構成され、規制板１３２〜１３７の開口１３２Ａ〜１３７Ａは順次小さくされ、規制板１３２と１３３は図６に例示されるメッシュ状の網（フィルタ）１１２を挟んで一体的に固定され、他の規制板１３４〜１３７はそれぞれ個別に分離され、選択的に規制板１３３に重ねて貼り付けることにより、所望の開口度合いを得ることができるようになっている。開口規制部品１１０，１２０，１３０のいずれかが選択され、選択された開口規制部品は、本体部品１００を組み立てて形成された通路の上端開口に挿入固定される。
【００４６】
開口規制部品１１０，１２０，１３０のいずれかを選択的に用いることによって天井側１７２からの換気流量を選択的に絞って、床１７１側からの換気流量を所望に設定して換気通路の組み立てが可能にされる。
【００４７】
尚、開口規制部品は本体部品にそれぞれ開口を形成した上面板部と底面板部とを設け、上面板部の開口に対してマスク板の重ね合わせ量を調整することによって、上面板部の開口の開口度合い選択的に決定するように構成することも可能である。
【００４８】
更に別の取り付け部品として、図７に例示されるように、組み立てられて筒状体を成し、前記本体部品による通路に挿入されて通路を補強するリブを構成するための補強部品１５０を有する。例えば補強部品１５０は換気通路１８０の横断面形状にほぼ等しい平面形状を有し、開口１５０Ａが形成された３枚の板を積層固定して構成される。補強部品１５０は換気通路１８０の途中に数箇所挿入配置されて固定される。補強部品１５０により、換気通路１８０の強度を向上させることが容易になる。補強部品は板を積層した構成に限定されず、板を折り曲げて筒状に形成する構造であってもよい。
【００４９】
固定部品１６０は、図８に例示されるマジックテープ（登録商標、以下省略）、図示を省略する両面テープ等とされる。マジックテープ１６０のループ１６１は壁面１７３に接着され、フック１６２は本体部品１００の背面部１０２の表面に接着固定される。
【００５０】
上記組み立てキットを用いることにより、挿入孔１０６と換気扇１７０との隙間から通路に空気が流入することを抑制でき、床からの換気流量を所望に設定して換気通路の組み立てが可能にされるという機能を備える換気通路を誰でも手軽に組み立てることができる。組み立てキットとして提供されることから、工事費用が抑制され、床からの換気通路を低コストで構成することができる。
【００５１】
＜天井換気扇への対応に特化した第２の実施の形態＞
図９には天井換気扇への対応に特化した第２の実施の形態に係る換気通路組み立てキットを組み立てて完成した換気通路組立体２９０が縦断面によって例示される。図１０乃至図１１には換気通路組み立てキットを構成する一部の部品が例示される。
【００５２】
第２の実施の形態に係る換気通路組み立てキットは、図９に例示されるように、室内の床１７１から天井１７２の換気扇１７０への換気通路２８０Ａ，２８０Ｂ，２８０Ｃを形成するためのキットであって、折り曲げと接合によって通路が組み立てられる本体部品２００，２１０，２２０と、前記本体部品に取り付けられる取り付け部品２０７、２３０、１１０、１４２、１５０と、組み立てられた本体部品を壁面に固定する固定部品１６０とを有する。１１０に代表される開口規制部品、１４０で示される開口規制部品、１５０で示される補強部品については第１の実施の形態で説明したものと同じ部品であるからその詳細な説明を省略する。開口規制部品には１２０、１３０で示されるものを採用してもよいことは言うまでもない。
【００５３】
本体部品は水平方向に換気通路２８０Ａを形成するための水平換気本体部品２００及び水平方向の換気通路に連通して垂直方向に換気通路２８０Ｂ，２８０Ｃを形成するための垂直換気本体部品２１０，２２０を有する。
【００５４】
前記水平換気本体部品２００は、図１０Ａに例示されるように前記換気扇の枠１７０が挿入される挿入孔２０６を有する長尺状の上面板部２０２と、前記上面板部とほぼ等しい大きさであって切欠き２０８が形成された底面板部２０１と、前記底面板部２０１の長尺状の縁辺と前記上面板部の長尺状の縁辺とをそれぞれ連結するための一対の長尺状の側面板部２０３，２０４と、接合代２０５が一体的に打ち抜き若しくは裁断にて形成されて成る。水平換気本体部品２００の各部をその接続部分に形成された前記プレス溝や浅い切り溝に添って折り曲げて、接合代２０５を側面板部２０３の縁辺部分に接着若しくは両面テープ等により固定することによって、断面が四角形の通路２８０Ａを形成することができる。前記挿入孔２０６は換気扇の枠の大きさに比べて大きく形成され、壁面１７３からの換気扇の位置が相違されていても、水平換気本体部品２００の長さや挿入孔２０６の大きさを現物加工したりすることなく容易に対応することができる。パッキン２０７も挿入孔２０６の週縁に配置される大きさを備えているから、換気扇と挿入孔２０６との間に比較的大きな隙間があっても換気路がその部分から外に開放されてしまうことはない。
【００５５】
垂直換気本体部品は、図１０Ｂに例示される第１の垂直換気本体部品２１０及び図１０Ｃに例示される第２の垂直換気本体部品２２０から成り、前記外部取り付け部品の一つとして図１１に例示されるストレート連結部品２３０を有する。
【００５６】
前記第１の垂直換気本体部品２１０は、長尺状の背面板部２１１、押さえ部２１６、長尺状の正面板部２１２、前記背面板部の長尺状の縁辺と前記正面板部の長尺状の縁辺とをそれぞれ連結するための一対の長尺状の側面板部２１３，２１４、前記水平換気本体部品２００の底面板部２０１に結合される接続部２１７、割り溝２１８、及び接合代２１５が一体的に打ち抜き若しくは裁断にて形成されて成る。第１の垂直換気本体部品２１０の各部をその接続部分に形成された前記プレス溝や浅い切り溝に添って折り曲げて、接合代２１５を側面板部２１３の縁辺部分に接着若しくは両面テープ等により固定することにより、断面が四角形の通路２８０Ｂを形成することができる。組み立てられ水平換気本体部品２００に組み立てられた第１の垂直換気本体部品２１０を結合する場合、２１７を２０１の内面に固定し、２１６を２０２の表面に固定すればよい。切欠き近傍において２０３及び２０４の一部を割り溝２１８近傍において２１４，２１３の一部に接着して通路のリークを抑制する。
【００５７】
前記第２の垂直換気本体部品２２０は、長尺状の背面板部２２１、長尺状の正面板部２２２、前記背面板部の長尺状の縁辺と前記正面板部の長尺状の縁辺とをそれぞれ連結するための一対の長尺状の側面板部２２３，２２４、及び接合代２２５が一体的に打ち抜き若しくは裁断にて形成されて成る。第２の垂直換気本体部品２２０の各部をその接続部分に形成された前記プレス溝や浅い切り溝に添って折り曲げて、接合代２２５を側面板部２２３の縁辺部分に接着若しくは両面テープ等により固定することにより、断面が四角形の通路２８０Ｃを形成することができる。
【００５８】
前記ストレート連結部品２３０は、背面板部２３１、正面板部２３２、前記背面板部の縁辺と前記正面板部の縁辺とをそれぞれ連結するための一対の側面板部２３３，２３４、及び接合代２３５が一体的に打ち抜き若しくは裁断にて形成されて成り、当該部品２３０の各部をその接続部分に形成された前記プレス溝や浅い切り溝に添って折り曲げて、接合代２３５を側面板部２３３の縁辺部分に接着若しくは両面テープ等により固定することにより、断面が四角形の筒状体を成す。この筒状体の一方が前記第１の垂直換気本体部品２１０による通路２８０Ｂに挿入固定され、前記筒状体の他方が第２の垂直換気本体部品２２０による通路２８０Ｃに挿入固定されて、前記第１の垂直換気本体部品２１０による通路２８０Ｂと前記第２の垂直換気本体部品２２０による通路２８０Ｃとを連結する。
【００５９】
天井換気扇への対応に特化した第２の実施の形態に係る換気通路組み立てキットを用いる場合にも、第１の実施の形態と同様に、挿入孔２０６と換気扇１７０との隙間から通路に空気が流入することを抑制でき、床からの換気流量を所望に設定して換気通路の組み立てが可能にされるという機能を備える換気通路を誰でも手軽に組み立てることができる。組み立てキットとして提供されることから、工事費用が抑制され、床からの換気通路を低コストで構成することができる。
【００６０】
＜天井換気扇への対応に特化した第３の実施の形態＞
第３の実施の形態として水平換気本体部品と垂直換気本体部品との接続にＬ字連結部品を採用する場合について説明する。この場合、水平換気本体部品は図１０Ａにおいて切欠き２０８を廃止した構成を採用する。垂直換気本体部品には図１０Ｃの構成を採用する。このとき採用するＬ字連結部品を組み立てた組立体２６０が図１２に例示される。Ｌ字連結部品は図１３Ａに例示される水平部品２４０と図１３Ｂに例示される垂直部品２５０によって構成される。水平部品２４０と垂直部品は図１０Ａの水平換気本体部品と図１０Ｂの垂直換気本体部品との連結部分と同じ構成を備える。
【００６１】
水平部品２４０は上面板部２４２、前記上面板部とほぼ等しい大きさであって切欠き２４６が形成された底面板部２４１、前記底面板部２４１の長尺状の縁辺と前記上面板部２４２の長尺状の縁辺とをそれぞれ連結するための一対の長尺状の側面板部２４３，２４４、接合代２４５が一体的に打ち抜き若しくは裁断にて形成されて成る。水平換気本体部品２００の各部をその接続部分に形成された前記プレス溝や浅い切り溝に添って折り曲げて、接合代２０５を側面板部２０３の縁辺部分に接着若しくは両面テープ等により固定することにより、断面が四角形の通路２８０Ａを形成することができる。
【００６２】
垂直部品２５０は、背面板部２５１、押さえ部２５７、正面板部２５２、前記背面板部の縁辺と前記正面板部の縁辺とをそれぞれ連結するための一対の側面板部２５３，２５４、前記水平部品２４０の底面板部２４１に結合される接続部２５６、割り溝２５８、及び接合代２５５が一体的に打ち抜き若しくは裁断にて形成されて成る。組み立てられ水平部品２４０に組み立てられた垂直部品２５０を結合する場合、２５７を２４１の内面に固定し、２５７を２４２の表面に固定すればよい。切欠き２４６近傍において２４３及び２４４の一部を割り溝２５８近傍において２５４，２５３の一部に接着して通路のリークを抑制する。
【００６３】
＜天井換気扇への対応に特化した第４の実施の形態＞
第４の実施の形態として水平換気本体部品と垂直換気本体部品との接続に傾斜連結部品を採用する場合について説明する。この場合、水平換気本体部品３００は第３の実施の形態と同様に図１０Ａにおいて切欠き２０８を廃止した構成を採用し、垂直換気本体部品３１０には図１０Ｃの構成を採用する。
【００６４】
このとき採用する傾斜連結部品３２０は図１５に例示される展開構造を有する。例えば、６角形の側面板部３５０，３５２、長方形の底面板部３５３、及び長方形の上面板部３５１を主体とし、水平換気本体部品３００に連結される連結切片３３０Ａ〜３３０Ｄ、垂直換気本体部品３１０に連結される連結切片３４０Ａ〜３４０Ｄ、及び接続代３５４Ａ，３５４Ｂ，３５５Ａ，３５５Ｂ，３５３Ａが一体的に打ち抜き若しくは裁断にて形成されて成る。傾斜連結部品３２０の各部をその接続部分に形成された前記プレス溝や浅い切り溝に添って折り曲げて、接合代３５３Ａ，３５４Ｂ，３５５Ｂを３５０に、接続代３５４Ａ，３５５Ａを３５２に、接着若しくは両面テープ等により固定することにより、通路を形成することができる。組み立てられた傾斜連結部品３２０の連結切片３３０Ａ〜３３０Ｄを水平換気本体部品３００の開口に挿入固定し、連結切片３４０Ａ〜３４０Ｄを垂直換気本体部品３１０の上端開口に挿入固定すればよい。
【００６５】
特に制限されないが、図１６に例示されるように、換気通路組み立てキットを組み立てて完成した換気通路組立体４３０を室内のコーナー部分に設置してもよい。この場合、傾斜連結部品４２０及び垂直換気本体部品４１０はコーナー部分に収まるように斜面を有する形状に組み立てられることになる。
【００６６】
換気通路組み立てキットを組み立てて完成した換気通路組立体４３０を壁１７３に据付ける場合にはマジックテープ１６０や両面テープと共に或いはそれに代えて図１７に例示されるフック３６０を組立体４３０の背面に取り付け、フックを係止するリング３６１を壁１７３に設ける構造を採用してもよい。この場合に、フック３６０とリング３６１は固定部品として提供される。
【００６７】
＜天井換気扇への対応に特化した第５の実施の形態＞
第５の実施の形態は第４の実施の形態の細部を改良したものである。図１８には第５の実施の形態に係る換気通路組み立てキットを組み立てて装着した状態を縦断面にて図示してある。
【００６８】
第５の実施の形態に係る換気通路組み立てキットは、図１９の天井側通路部品５００、図２０の壁側通路部品６００、図２１の接続部品７００、及び図２２の取り付け部品８００を有する。図１８に示される５００Aは天井側通路部品５００を用いて組み立てられた天井側通路組立体、６００Aは壁側通路部品６００を用いて組み立てた壁側通路組立体、７００Aは接続部品７００を用いて組み立てた接続組立体である。
【００６９】
天井側通路部品５００は、図１８に示されるように、折り曲げと接合によって筒状の換気通路５０１が形成され、筒内に換気扇１７０を挿入するための挿入孔５０２を有する。天井側通路部品５００の平面形状は図１９に例示されるように、１枚の板が裁断されて上面板５１０、下面板５１１、側面板５１２〜５１４、端面板５１５，５１６、固定片５１７，５１８、及び開口片５１９が形成され、且つ折り曲げ用の溝５２０と切欠き５２１が形成されて成る。特に挿入孔５０２は、換気通路５０１内に補強リブを構成するための４個の折り曲げ片５３０，５３１を有し、図１８及び図２３に例示されるように折り曲げ片５３０は上面板５１０の裏面に折り返し固定され、折り曲げ片５３１はほぼ直角に折り曲げられてその足部５３１Aが下面板５１１の上面側に固定されるようになっている。前記１枚の板は例えば厚さ３ｍｍの防水性のダンボール紙であり、天井側通路組立体５００Aには天井に取り付けられて鉛直方向の力が常時作用され、さらには接続組立体７００Aを介して壁側通路組立体６００Aを支持するという性質上、多少厚めに設定される。
【００７０】
壁側通路部品６００は折り曲げと接合によって筒状の換気通路６０１が形成されるものであり１枚の板が裁断されて正面板６１０、奥面板６１１、側面板６１２が形成されると共に、折り曲げ用の溝６１３が形成されて成る。前記１枚の板は例えば厚さ１ｍｍの防水性のダンボール紙であり、天井側通路部品５００よりも薄くてよい。天井側通路組立体５００Aほど強度が要求されないからである。
【００７１】
前記接続部品７００は、前記天井側通路部品５００を用いて組み立てられた天井側通路組立体５００Aの一端開口５４０と前記壁側通路部品６００を用いて組み立てられた壁側通路組立体６００Aの一端開口６２０とを接続するために、折り曲げと接合によって筒状の通路７１０が形成される。図２１に例示されるように、前記接続部品７００は接続通路部品７１０と位置決め固定部品７３０から成る。
【００７２】
接続通路部品７１０は、図１８及び図２４に例示されるように、前記天井側通路組立体５００Aの一端開口５４０に挿入され反挿入端に開口７１０を持ち筒状の通路７１１を形成するための第１接続部７１２と、前記壁側通路組立体６００Aの一端開口６２０に挿入され反挿入端に前記第１接続部７１２の前記開口７１０と相互に一縁を共有する開口７２０を持つ筒状の通路７２１を形成するための第２接続部７２２を有する。７４０は開口７１０と７２０が共有する一つの縁辺としての一縁である。前記第１接続部７１２及び前記第２接続部７２２は１枚の板が裁断され、第１の接続上面７１３、第１の接続下面７１４、第１の接続側面７１５、第１２の接続上面７２３、第２の接続下面７２４、および第２の接続側面７２５が形成されると共に、折り曲げ用の溝７１６と切欠き７１７，７２７が形成されて成る。
【００７３】
位置決め固定部品７３０は、前記第１接続部７１２と前記第２接続部７２２が一縁７４０を共有する前記開口７１０，７２０の間を覆って前記第１接続部７１２と前記第２接続部７２２を位置決め固定するものである。位置決め固定部品７３０は１枚の板が裁断され、上面７３１及び側面７３２が形成されると共に、折り曲げ用の溝７３３が形成されて成る。図２５に例示されるように、第１接続部品７１２と第２接続部品７２２が組み立てられてほぼ直角にされた状態で、開口７１０，７２０を覆うように位置決め固定部品７３０を接続通路部品７１０の組立体の上に接着固定して一体化し、通路７１１と通路７２１をほぼ直角に連通させる。
【００７４】
上記接続部品７００、天井側通路部品５００及び壁側通路部品６００の組立には接着剤又は両面テープなどを用いて固定台を相互に固定すればよい。夫々の部品が組み立てられたとき、図１８に例示されるように、接続組立体７００の第１接続部７１２を天井側通路組立体５００Aの端面から換気通路５０１に挿入して接着又は両面テープで固定し、接続組立体７００Aの第２接続部７２２を壁側通路組立体６００Aの一端開口５４０に挿入して接着又は両面テープで固定し、接続組立体７００Aの背に位置する上面７３１（図２１参照）に、天井側通路組立体５００Aの開口片５１９を接着又は両面テープで固定して、組み立てればよい。また、図２０に例示する開口片６２０を壁側通路部品６００に追加し、双方の開口片５１９、６２０を上面７３１に固定して、組立強度を増すようにしてもよい。このとき、接続組立体７００Aを天井側通路組立体５００A及び壁側通路組立体６００Aの一端開口に挿入するとき接着を行わず、双方の開口片５１９、６２０を上面７３１に接着又は両面テープで固定するようにしてもよい。更にこのとき、接続組立体７００A、天井側通路組立体５００A及び壁側通路組立体６００Aの分解と再利用性を向上させるには、双方の開口片５１９、６２０を上面７３１に固定する手段としてマジックテープなどの分離可能な固定具を用いることが望ましい。
【００７５】
取り付け部品８００は、図２２及び図２３に例示されるように、前記天井側通路組立体５００Aの外方に一部を延在させて天井側通路組立体５００Aの天井１７２に対向する面に固定される複数個の板片８０１と、前記板片８０１を前記天井１７２に固定するピンや鋲等の固定ピン８０２とからなる。前記板片８０１は、前記固定ピン８０２を通すための貫通孔８０４を有する。板片８０１は例えば透明プラスチック板で形成され、板片８０１は例えば両面テープ８０３で天井側通路組立体５００Aに接着固定される。前記貫通孔８０４は例えば直径１ｍｍの孔であって、前記板片８０１の前記貫通孔８０４に前記固定ピン８０２を通すことによって前記天井側通路組立体５００Ａが天井に固定されればよい。
【００７６】
特に制限されないが、前記挿入孔５０２の周縁部に環状に且つ天井１７２に向けて配置される、柔軟性を有するパッキンを設けてもよい。天井と前記天井側通路部品との隙間が大きくなっても換気通路から換気扇への吸気効率の低下を抑制することができる。
【００７７】
上記第５の実施の形態によれば、以下の作用効果を得る。
【００７８】
（１）天井側通路部品５００、壁側通路部品６００及び接続部品７００に大別された部品が提供されるから、これを用いることにより、床から換気扇１７０にいたる換気通路を誰でも手軽に組み立てることができる。組み立てキットとして提供されることから、工事費用が抑制され、床からの換気通路を低コストで実現することができる。
【００７９】
（２）前記天井側通路組立体５００Aにおける換気通路５０１の横断面の開口面積は、前記壁側通路組立体６００Aにおける換気通路６０１の横断面の開口面積よりも大きくされる。この開口面積に差によって、換気通路の遠方端である床側からの換気流速を容易に確保することができる。
【００８０】
（３）接続部品７００を図２１の如くに構成することにより、天井側通路組立体５００Aと前記壁側通路組立体６００Aをほぼ直角に接続する接続組立７００Aの強度を少ない部品点数で実現する事ができる。
【００８１】
（４）天井側通路５００、壁側通路部品６００及び接続部品７００をそれぞれ板状で提供することにより換気通路組立キットの可搬性及び多数の換気通路組立キットの集積性の向上に資することができる。
【００８２】
（５）板片８０３を用いて天井側通路組立体７００Aを天井１７２に取り付けることにより、天井との隙間を小さくして前記天井側通組立体７００Aを容易に天井１７２に固定することができると共に、天井との間の小さな隙間によって床からの吸気に支障を生ずることなく天井側からの吸気も可能になる。
【００８３】
以上本発明者によってなされた発明を実施形態に基づいて具体的に説明したが、本発明はそれに限定されるものではなく、その要旨を逸脱しない範囲において種々変更可能であることは言うまでもない。
【００８４】
例えば、前記ストレート連結部品２３０による連結構造は、図１の換気本体部品１００又は図９の水平換気本体部品２００を２分割して連結する構造に適用することも可能である。固定部品は上記実施の形態に限定されず工事用ホチキスを使用することも可能である。補強リブにはストレート連結部品と同じ構成を採用することも可能である。また、組み立てた換気通路部品を接続する構成は連結部品等を用いる上記構成に限定されず、通路の開口端部を付き合わせて接着剤又は粘着テープなどを用いて固定するように組み立てる構造を採用してもよい。換気通路組み立てキットは家庭のトイレ等で使用する場合はもとより、学校、作業場、病院、介護施設など、床の空気を換気する種々の用途に対して有用である。
【００８５】
また、第５の実施の形態に係る換気通路組立キットにおいて、前記挿入孔の周縁部に環状に且つ天井に向けて配置される、柔軟性を有するパッキンを設け、更に、天井側通路部品をその閉塞側で外部に連通させる小孔をもうけてもよい。天井と前記天井側通路部品との隙間が大きくなっても換気通路から換気扇への吸気効率の低下を抑制することができる。
【００８６】
また、第５の実施の形態の説明では、前記壁側通路組立体６００Ａと壁１７３とを積極的に固定しないものとして説明したが、本発明は限定されず、例えば、両面テープ、マジックテープ、ピン等で前記壁側通路組立体６００Ａを壁７１３に固定してもよい。
【００８７】
また、第５の実施の形態における前記天井側通路組立体５００Ａを壁側の換気扇に利用してもよい。その場合、前記壁側通路組立体６００Ａを前記天井側通路組立体５００Ａに直接繋げても良い。
【００８８】
また、第５の実施の形態において、前記天井側通路組立体５００Ａ、前記壁側通路組立体６００Ａ及び接続組立体７００Ａを夫々別々に固定しても良い。
【００８９】
また、前記天井側通路部品５００と前記壁側通路部品６００の板の厚さは同じでも良い。
【符号の説明】
【００９０】
１００  本体部品
１０７、１１０、１４０、１５０  取り付け部品
１０６  挿入孔
１０７  パッキン
１１０，１２０，１３０  開口規制部品
１４０  開口規制部品
１６０  固定部品
１７１  室内の床１７１
１７３  壁面１７３
１７０  換気扇
１８０  換気通路
１９０  換気通路組立体
２００，２１０，２２０  本体部品
２０７、２３０  取り付け部品
２４０  水平部品
２５０  垂直部品
２６０  Ｌ字連結部品を組み立てた組立体
２９０  換気通路組立体
２８０Ａ，２８０Ｂ，２８０Ｃ  換気通路
３００  水平換気本体部品
３１０  垂直換気本体部品
３３０  換気通路組立体
５００  天井側通路部品
５０２  挿入孔
５００Ａ  天井側通路組立体
６００  壁側通路部品
６００Ａ  壁側通路組立体
７００  接続部品
８００  取付け部品
８０１  板片
８０２  固定具
【図１】
2011163747.tif 000003
【図２】
2011163747.tif 000004
【図３】
2011163747.tif 000005
【図４Ａ】
2011163747.tif 000006
【図４Ｂ】
2011163747.tif 000007
【図４Ｃ】
2011163747.tif 000008
【図５】
2011163747.tif 000009
【図６】
2011163747.tif 000010
【図７】
2011163747.tif 000011
【図８】
2011163747.tif 000012
【図９】
2011163747.tif 000013
【図１０Ａ】
2011163747.tif 000014
【図１０Ｂ】
2011163747.tif 000015
【図１０Ｃ】
2011163747.tif 000016
【図１１】
2011163747.tif 000017
【図１２】
2011163747.tif 000018
【図１３Ａ】
2011163747.tif 000019
【図１３Ｂ】
2011163747.tif 000020
【図１４】
2011163747.tif 000021
【図１５】
2011163747.tif 000022
【図１６】
2011163747.tif 000023
【図１７】
2011163747.tif 000024
【図１８】
2011163747.tif 000025
【図１９】
2011163747.tif 000026
【図２０】
2011163747.tif 000027
【図２１】
2011163747.tif 000028
【図２２】
2011163747.tif 000029
【図２３】
2011163747.tif 000030
【図２４】
2011163747.tif 000031
【図２５】
2011163747.tif 000032
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
室内の床から換気扇への換気通路を形成するための換気通路組み立てキットであって、折り曲げと接合によって通路が組み立てられる本体部品と、前記本体部品に取り付けられる取り付け部品と、組み立てられた本体部品を前記室内に固定する固定部品とを有し、
前記本体部品は、４面を取り囲んで通路を形成するための複数の面部が一体的に形成されていて、その一つの面部は前記換気扇が挿入される挿入孔を有し、
前記取り付け部品として、前記一つの面部に形成された前記挿入孔の周縁部に固定される、柔軟性を有すパッキンと、
前記本体部品が組み立てられたとき前記複数の面部で４面が囲まれる換気通路の上側の開放端部における開口を、前記４面が囲まれる換気通路の下側の開放端部における開口よりも小さく且つ部品を重ね合わせて固定することによって所要の開口度合いに規制するための開口規制部品と、を有する、換気通路組み立てキット。
【請求項２】
前記開口規制部品は、規制する開口度合いをそれぞれ相違させ、所要の開口度合いに応じて選択使用される複数部品からなる、請求項１記載の換気通路組み立てキット。
【請求項３】
前記取り付け部品として、前記本体部品による通路に挿入されて通路を補強するリブを構成するための補強部品を有する、請求項１又は２記載の換気通路組み立てキット。
【請求項４】
前記本体部品は、前記挿入孔を有する長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は直線状にされる、請求項1乃至３の何れか１項記載の換気通路組み立てキット。
【請求項５】
前記本体部品は第１の本体部品及び第２の本体部品から成り、前記取り付け部品の一つとしてストレート連結部品を有し、
前記第１の本体部品及び第２の本体部品の夫々は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は直線状にされ、
前記第１の本体部品又は前記第２の本体部品の何れか一方の背面板部に前記挿入孔が形成され、
前記ストレート連結部品は、組み立てられて筒状体を成し、この筒状体の一方が前記第１の本体部品による通路に挿入固定され、前記筒状体の他方が第２の本体部品による通路に挿入固定されて前記第１の本体部品による通路と第２の本体部品による通路を連結する、請求項1乃至４の何れか1項記載の換気通路組み立てキット。
【請求項６】
前記本体部品は、水平方向に換気通路を形成するための水平換気本体部品及び水平方向の換気通路に連通して垂直方向に換気通路を形成するための垂直換気本体部品を有し、
前記水平換気本体部品は、前記換気扇の枠が挿入される挿入孔を有する長尺状の上面板部と、
前記上面板部とほぼ等しい大きさの長尺状の底面板部と、
前記底面板部の長尺状の縁辺と前記上面板部の長尺状の縁辺とをそれぞれ連結するための一対の長尺状の側面板部と、が一体的に形成されて成り、
前記垂直換気本体部品は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されて成り、
組み立てられた前記本体部品による通路は概略Ｌ字状を呈する、請求項1乃至３の何れか１項記載の換気通路組み立てキット。
【請求項７】
前記水平換気本体部品と前記垂直換気本体部品は、組み立てられた状態で連通するために接合される直結片を有する、請求項６記載の換気通路組み立てキット。
【請求項８】
前記取り付け部品の一つとしてＬ字連結部品を有し、
前記Ｌ字連結部品は、組み立てられて概略Ｌ字状に屈曲された筒状体を成し、この筒状体の一方が前記水平換気本体部品による通路に挿入固定され、前記筒状体の他方が前記垂直換気本体部品による通路に挿入固定されて、前記水平換気本体部品による通路を前記垂直換気本体部品通路を連結するＬ字連結部品による通路に連結する、請求項６記載の換気通路組み立てキット。
【請求項９】
前記垂直換気本体部品は第１の垂直換気本体部品及び第２の垂直換気本体部品から成り、前記外部取り付け部品の一つとしてストレート連結部品を有し、
前記第１の垂直換気本体部品及び第２の垂直換気本体部品の夫々は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されていて、組み立てられた通路は直線状にされ、
前記ストレート連結部品は、組み立てられて筒状体を成し、この筒状体の一方が前記第１の垂直換気本体部品による通路に挿入固定され、前記筒状体の他方が第２の垂直換気本体部品による通路に挿入固定されて、前記第１の垂直換気本体部品による通路と前記第２の垂直換気本体部品による通路とを連結する、請求項７又は８記載の換気通路組み立てキット。
【請求項１０】
床から壁面の換気扇への換気通路を形成するための換気通路組み立てキットであって、折り曲げと接合によって通路が組み立てられる本体部品と、前記本体部品に取り付けられる取り付け部品と、組み立てられた本体部品を壁面に固定する固定部品とを有し、
前記本体部品は、前記換気扇が挿入される挿入孔を有する長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されて成り、
前記取り付け部品として、前記背面板部に形成された前記挿入孔の周縁部に固定される、柔軟性を有するパッキンと、
前記本体部品が組み立てられたとき前記背面板部、前記正面板部及び前記一対の側面板部の４面で囲まれる換気通路の上側における開口を、前記４面で囲まれる換気通路の下側の開口よりも小さく且つ部品を重ね合わせて固定することによって所要の開口度合いに規制するための開口規制部品と、を有する、換気通路組み立てキット。
【請求項１１】
床から天井の換気扇への換気通路を形成するための換気通路組み立てキットであって、折り曲げと接合によって通路が組み立てられる本体部品と、前記本体部品に取り付けられる取り付け部品と、組み立てられた本体部品を天井面及び壁面に固定する固定部品とを有し、
前記本体部品は、水平方向に換気通路を形成するための水平換気本体部品及び水平方向の換気通路に連通して垂直方向に換気通路を形成するための垂直換気本体部品を有し、
前記水平換気本体部品は、前記換気扇が挿入される挿入孔を有する長尺状の上面板部と、
前記上面板部とほぼ等しい大きさの長尺状の底面板部と、
前記底面板部の長尺状の縁辺と前記上面板部の長尺状の縁辺とをそれぞれ連結するための一対の長尺状の側面板部と、が一体的に形成されて成り、
前記垂直換気本体部品は、長尺状の背面板部と、
前記背面板部とほぼ等しい大きさの長尺状の正面板部と、
前記背面板部の長尺状の縁辺と前記正面板部の長尺状の縁辺とをそれぞれ連結するための一対の長尺状の側面板部と、が一体的に形成されて成り、
前記取り付け部品として、前記上面板部に形成され前記挿入孔の周縁部に固定される、柔軟性を有するパッキンと、
前記水平本体部品と前記垂直換気本体部品が組み立てられて連通されたとき前記組立たれた水平換気本体部品の前記上面板部、前記底面板部及び前記一対の側面板部の４面で囲まれる空間の開放端部における開口を、前記組み立てられた垂直換気本体部品の前記背面板部、前記正面板部及び前記一対の側面板部の４面で囲まれる空間の開放端部における開口よりも小さく且つ部品を重ね合わせて固定することによって所要の開口度合いに規制するための開口規制部品と、を有する、換気通路組み立てキット。
【請求項１２】
折り曲げと接合によって筒状の換気通路が形成され、筒内に換気扇を挿入するための挿入孔を有する天井側通路部品と、
前記天井側通路部品を用いて組み立てられた天井側通路組立体を天井に固定するための天井取付け部品と、
前記挿入孔の周縁部に設けられる、柔軟性を有するパッキンと、
折り曲げと接合によって筒状の換気通路が形成される壁側通路部品と、
前記天井側通路組立体の一端開口と前記壁側通路部品を用いて組み立てられた壁側通路組立体の一端開口とを接続するために、折り曲げと接合によって筒状の通路が形成される接続部品と、を有し、
前記天井取付け部品で天井に固定された天井側通路組立体に、前記接続部品を用いて壁側通路組立体を接続することにより、室内の床から換気扇への換気通路を形成するための換気通路組立キットであって、
前記天井側通路組立体の他端開口を、前記壁側通路組立体の他端開口よりも小さく且つ部品を重ね合わせて固定することによって所要の開口度合いに規制するための開口規制部品を、更に有する、換気通路組み立てキット。
【請求項１３】
前記天井側通路組立体における換気通路の横断面の開口面積は、前記壁側通路組立体における換気通路の横断面の開口面積よりも大きい、請求項１２記載の換気通路組み立てキット。
【請求項１４】
前記天井側通路部品、前記壁側通路部品及び前記接続部品はそれぞれ１枚の板が裁断され且つ折り曲げ用の溝と切欠きが形成されて成る、請求項１２又は１３記載の換気通路組み立てキット。
【請求項１５】
前記接続部品は、前記天井側通路部品の一端開口に挿入され反挿入端に開口を持ち筒状の通路を形成するための第１接続部及び前記壁側通路部品の一端開口に挿入され反挿入端に前記第１接続部の前記開口と相互に一縁を共有する開口を持つ筒状の通路を形成するための第２接続部を有する接続通路部品と、前記第１接続部と前記第２接続部が一縁を共有する前記開口の間を覆って前記第１接続部と前記第２接続部を位置決め固定するための位置決め固定部品とを有する、請求項１２記載の換気通路組み立てキット。
【請求項１６】
前記第１接続部及び前記第２接続部は１枚の板が裁断され且つ折り曲げ用の溝と切欠きが形成されて成る、請求項１５記載の換気通路組み立てキット。
【請求項１７】
前記天井取付け部品は、前記天井側通路組立体の外方に一部を延在させて前記天井側通路組立体の天井に対向する面に固定される複数個の固定板と、前記固定板を前記天井に固定する固定具とである、請求項１２記載の換気通路組み立てキット。